(57)【要約】【課題】冬季等には飲食物を保温し、夏期等には飲食物を保冷できるように構成したランチジャーを提供する。【解決手段】開口部を備えた断熱性を有する外装容器(1)と、前記外装容器の開口部を開閉自在に施蓋する断熱性を有する蓋体(2)と、前記外装容器に所定配置状態で収納される複数の飲食物容器(3a,3b,3c)により構成されたランチジャーにおいて、前記複数の飲食物容器から選択された特定容器(3x)と同形同大に形成された熱源パック(4)を備え、前記特定容器(3x)と熱源パック(4)を相互に選択的に置換することにより外装容器(1)に収納するように構成されている。【選択図】図１
0003180731.tif 000002
【実用新案登録請求の範囲】
【請求項１】
開口部を備えた断熱性を有する外装容器(1)と、前記外装容器の開口部を開閉自在に施蓋する断熱性を有する蓋体(2)と、前記外装容器に所定配置状態で収納される複数の飲食物容器(3a,3b,3c)により構成されたランチジャーにおいて、
前記複数の飲食物容器から選択された特定容器(3x)と同形同大に形成された熱源パック(4)を備えており、
前記特定容器(3x)と熱源パック(4)を相互に選択的に置換することにより外装容器(1)に収納するように構成して成ることを特徴とするランチジャー。
【請求項２】
前記熱源パック(4)は、特定容器(3x)と同形同大に形成された合成樹脂製のシェル(10)に蓄冷剤(11a)充填した保冷手段を構成して成ることを特徴とする請求項１に記載のランチジャー。
【請求項３】
前記熱源パック(4)は、特定容器(3x)と同形同大に形成された合成樹脂製のシェル(10)に蓄熱剤(11b)を充填した保温手段を構成して成ることを特徴とする請求項１に記載のランチジャー。
【考案の詳細な説明】
【技術分野】
【０００１】
本考案は、ランチジャーに関し、冬季等には飲食物を保温し、夏期等には飲食物を保冷できるように構成したランチジャーに関する。
【背景技術】
【０００２】
保冷剤により飲食物を保冷できるように構成したランチジャーが提案されている。
【先行技術文献】
【特許文献】
【０００３】
【特許文献１】実用新案登録第３１７４２４５号公報
【考案の概要】
【考案が解決しようとする課題】
【０００４】
特許文献１に示されるランチジャーは、断熱性の外装容器を施蓋する断熱性の蓋体の下側に着脱自在な専用の保持容器を設け、該保持容器に保冷パックを収納するように構成している。
【０００５】
従って、保冷機能を必要としない場合には、前記保持容器がデッドスペースを形成し、外装容器の収納容量を犠牲にするという問題がある。
【０００６】
しかも、保持容器が必要とされているので、全体としてコスト高になるという問題がある。
【課題を解決するための手段】
【０００７】
本考案は、上記課題を解決したランチジャーを提供するもので、その手段として構成したところは、開口部を備えた断熱性を有する外装容器と、前記外装容器の開口部を開閉自在に施蓋する断熱性を有する蓋体と、前記外装容器に所定配置状態で収納される複数の飲食物容器により構成されたランチジャーにおいて、前記複数の飲食物容器から選択された特定容器と同形同大に形成された熱源パックを備えており、前記特定容器と熱源パックを相互に選択的に置換することにより外装容器に収納するように構成して成る点にある。
【０００８】
前記熱源パックは、特定容器と同形同大に形成された合成樹脂製のシェルに蓄冷剤を充填した保冷手段を構成することができ、或いは、特定容器と同形同大に形成された合成樹脂製のシェルに蓄熱剤を充填した保温手段を構成することができ、蓄冷と蓄熱の両方を可能とする冷熱剤を使用すれば、必要に応じて保冷手段と保温手段を使い分けることが可能である。
【考案の効果】
【０００９】
本考案によれば、開口部を備えた断熱性を有する外装容器１と、前記外装容器１の開口部を開閉自在に施蓋する断熱性を有する蓋体２と、前記外装容器１に所定配置状態で収納される複数の飲食物容器３ａ、３ｂ、３ｃにより構成されたランチジャーにおいて、前記複数の飲食物容器から選択された特定容器３ｘと熱源パック４を相互に選択的に置換して外装容器１に収納する構成であるから、（１）複数の飲食物容器３ａ、３ｂ、３ｃを所定順序の配置態様として外装容器１に収納することにより、これらの飲食物容器を外気から断熱した通常のランチジャーとしての使用態様と、（２）特定容器３ｘを熱源パック４により置換し、前記外装容器１に所定配置状態で飲食物容器３ａ、３ｂと熱源パック４を収納することにより、外装容器１の内部で飲食物容器３ａ、３ｂを保冷状態又は保温状態に維持する保冷用又は保温用のランチジャーとしての使用態様が可能である。
【００１０】
特に、本考案によれば、相互に選択的に置換される特定容器３ｘと熱源パック４を同形同大に形成しているので、前記（１）のように全ての飲食物容器３ａ、３ｂ、３ｃを所定順序の配置態様として外装容器１に収納した状態と、前記（２）のように飲食物容器３ａ、３ｂと熱源パック４を所定順序の配置態様として外装容器１に収納した状態の何れの場合においても、外装容器１に対して余剰空間が形成されないように密に嵌入できるので、外装容器１の内部の断熱空間に飲食物容器を好適に保持できるという利点がある。
【図面の簡単な説明】
【００１１】
【図１】本考案の１実施形態に係るランチジャーに関して、外装容器及び蓋体と、飲食物容器及び熱源パックを示す斜視図である。
【図２】複数の飲食物容器を所定配置順序に基づいて外装容器の内部に収納した状態を示す縦断面図である。
【図３】特定容器を熱源パックに置換し、その他の飲食物容器と熱源パックを所定配置順序に基づいて外装容器の内部に収納した状態を示す縦断面図である。
【考案を実施するための形態】
【００１２】
以下図面に基づいて本考案の好ましい実施形態を詳述する。
【００１３】
図１に示すように、ランチジャーは、上部に開口部を備えた断熱性を有する外装容器１と、前記外装容器１の開口部を開閉自在に施蓋する断熱性を有する蓋体２と、前記外装容器に所定配置状態で収納される複数の飲食物容器３ａ、３ｂ、３ｃと、熱源パック４により構成されている。
【００１４】
図２に示すように、外装容器１は、例えば、ステンレス製の内外二重壁を有する真空断熱容器により縦長の円筒形に形成され、上部に開口部を備えている。
【００１５】
蓋体２は、外装容器１の開口部に着脱自在に螺着される下蓋２ａと、該下蓋２ａの上部に着脱自在に螺着される上蓋２ｂにより構成されている。下蓋２ａは、分厚い中空体を構成し、内部に断熱材５を装填している。上蓋２ｂは、下蓋２ａの上面にフォークやスプーン等の飲食補助具６を収納する収納部を形成する。
【００１６】
これにより、外装容器１の開口部を蓋体２により施蓋した状態で、外装容器１の内部には外気から断熱された収納空間が形成される。
【００１７】
複数の飲食物容器３ａ、３ｂ、３ｃは、図例の場合、３個の容器を示しているが、２個以上であれば良い。図示実施形態の３個の飲食物容器３ａ、３ｂ、３ｃは、所定の順序に基づいて上下積層される配置状態で外装容器１に収納され、例えば、下層の飲食物容器３ａは、米飯等の容器として、中間層の飲食物容器３ｂ及び上層の飲食物容器３ｃは、惣菜等の容器として使用される。尚、本考案において、「飲食物」は、飲料と食物の一方又は両方を含む意味であることを諒解されたい。
【００１８】
飲食物容器３ａ、３ｂ、３ｃは、それぞれ、容器本体７と開閉自在な蓋８を備え、蓋８に摘み９を設けており、上下積層された状態で外装容器１の内部に余剰空間を形成しないように密に嵌入され、従って、外装容器１の内部で遊動することはない。
【００１９】
図示実施形態の場合、３個の飲食物容器のうち、上層の飲食物容器３ｃが選択された特定容器３ｘを構成し、熱源パック４と置換可能となるように構成されている。
【００２０】
熱源パック４は、図３に示すように、前記特定容器３ｘと同形同大に形成された合成樹脂製のシェル１０に冷熱剤１１を充填している。熱源パック４は、冷熱剤１１として蓄冷剤１１ａを用いることにより保冷手段を構成しても良く、或いは、冷熱剤１１として蓄熱剤１１ｂを用いることにより保温手段を構成しても良いが、図示実施形態の場合、蓄冷剤１１ａと蓄熱剤１１ｂを兼用する冷熱剤１１をシェル１０に充填している。
【００２１】
前記シェル１０は、例えば、合成樹脂のブロー成形により中空状に形成され、上下厚さ及び外径並びに外形輪郭を特定容器３ｘと同形同大になるように形成されている。しかしながら、本考案において、「同形同大」は、厳格な意味ではなく、概ね同一形状であれば良く、所定の順序に基づいて所定配置状態となるように飲食物容器３ａ、３ｂと熱源パック４を外装容器１に収納したとき、図２に示すように３個の飲食物容器３ａ、３ｂ、３ｃを外装容器１に収納した場合と同じように、外装容器１の内部に余剰空間を生じないように密に嵌入できれば良いとの意味であることを諒解されたい。
【００２２】
従って、図示実施形態の場合、熱源パック４のシェル１０は、特定容器３ｘの外径よりも僅かに小さい外径を有するが、シェル１０の外周にリブ１２を設けることにより外径が特定容器３ｘとほぼ等しくなるように形成され、上面には特定容器３ｘの蓋８と同様の摘み１３を設けている。
【００２３】
熱源パック４は、冷蔵庫や冷凍庫に入れておくと、冷熱剤１１が冷却熱を蓄積し、保冷剤として使用できる。或いは、熱湯等に漬けておくと、冷熱剤１１が高温熱を蓄積し、保冷剤として使用できる。
【００２４】
そこで、上記構成のランチジャーによれば、ユーザは、次の３通りの態様に基づく使用が可能である。
【００２５】
（１）図２に示すように、３個の飲食物容器３ａ、３ｂ、３ｃを所定順序で積層された配置態様として外装容器１に収納することにより、例えば、下層の飲食物容器３ａに米飯等を装填し、中間層の飲食物容器３ｂ及び上層の飲食物容器３ｃに惣菜等を装填することにより、３個の飲食物容器３ａ、３ｂ、３ｃを外気から断熱した通常のランチジャーとして使用することが可能である（第１使用態様）。
【００２６】
（２）図３に示すように、特定容器３ｘを熱源パック４により置換し、下層及び中間層に飲食物容器３ａ、３ｂを配置し、上層に熱源パック４を配置した積層状態で外装容器１に収納する。この際、熱源パック４は、予め冷蔵庫や冷凍庫に入れることにより、冷却熱を蓄積しているので、外装容器１の内部で飲食物容器３ａ、３ｂを冷却し保冷することが可能である（第２使用態様）。従って、例えば、夏期等において、飲食物容器３ａ、３ｂに麺類のうどんや蕎麦等と出汁を収納しておけば、外出先で冷しうどんや冷し蕎麦等を食することができる。
【００２７】
（３）図３に示すように、特定容器３ｘを熱源パック４により置換し、下層及び中間層に飲食物容器３ａ、３ｂを配置し、上層に熱源パック４を配置した積層状態で外装容器１に収納する。この際、熱源パック４は、予め熱湯等に浸漬することにより、高温熱を蓄積しているので、外装容器１の内部で飲食物容器３ａ、３ｂを加温し保温することが可能である（第３使用態様）。従って、例えば、冬季等において、飲食物容器３ａ、３ｂに米飯は惣菜等を収納しておけば、外出先で温かい状態の飲食物を食することができる。
【符号の説明】
【００２８】
１  外装容器
２  蓋体
２ａ  下蓋
２ｂ  上蓋
３ａ、３ｂ、３ｃ  飲食物容器
３ｘ  特定容器
４  熱源パック
５  断熱材
６  飲食補助具
７  容器本体
８  蓋
９  摘み
１０  シェル
１１  冷熱剤
１１ａ  蓄冷剤
１１ｂ  蓄熱剤
１２  リブ
１３  摘み
【図１】
0003180731.tif 000003
【図２】
0003180731.tif 000004
【図３】
0003180731.tif 000005